(57)【特許請求の範囲】
【請求項１】
無線デバイスによって行われる、サーチスペースを監視するための方法であって、
ダウンリンクスロットにおける１つの直交周波数分割多重（ＯＦＤＭ）シンボルを受信することであって、前記ＯＦＤＭシンボルの第１の部分はデバイス固有サーチスペースに含まれ、前記ＯＦＤＭシンボルの第２の部分は共通サーチスペースに含まれる、直交周波数分割多重（ＯＦＤＭ）シンボルを受信することと、
少なくとも１つのデバイス固有参照信号に対する前記ＯＦＤＭシンボルの第１の部分を監視することと、
少なくとも１つのデバイス固有でない参照信号に対する前記ＯＦＤＭシンボルの第２の部分を監視することと、を含む、方法。
【請求項２】
前記ＯＦＤＭシンボルの第１の部分においてデバイス固有物理ダウンリンク制御チャネル（ＰＤＣＣＨ）メッセージを検出することと、
前記デバイス固有ＰＤＣＣＨメッセージから、デバイス固有データ領域に対するリソースブロックを特定することと、
をさらに含む、請求項１に記載の方法。
【請求項３】
前記ＯＦＤＭシンボルの第２の部分においてデバイス固有でない物理ダウンリンク制御チャネル（ＰＤＣＣＨ）メッセージを検出することと、
前記デバイス固有でないＰＤＣＣＨメッセージから、デバイス固有でないデータ領域に対するリソースブロックを特定することと、
をさらに含む、請求項１に記載の方法。
【請求項４】
前記デバイス固有サーチスペースの少なくとも一部は、複数のＯＦＤＭシンボルのうちの第１のＯＦＤＭシンボルに含まれる、請求項１に記載の方法。
【請求項５】
前記共通サーチスペースの少なくとも一部は、複数のＯＦＤＭシンボルのうちの第１のＯＦＤＭシンボルに含まれる、請求項１に記載の方法。
【請求項６】
前記デバイス固有サーチスペース及び前記共通サーチスペースのそれぞれが、対応する周波数サブバンドに含有される、請求項１に記載の方法。
【請求項７】
前記ＯＦＤＭシンボルは前記ダウンリンクスロットにおける最初のＯＦＤＭシンボルである、請求項１に記載の方法。
【請求項８】
前記ＯＦＤＭシンボルの第１の部分は、デバイス固有の復調用参照信号（ＤＭＲＳ）に対して確保されたリソースを含み、前記ＯＦＤＭシンボルの第２の部分は、デバイス固有でないＤＭＲＳに対して確保されたリソースを含む、請求項１に記載の方法。
【請求項９】
前記デバイス固有でない復調用参照信号（ＤＭＲＳ）はセルパラメータに依存し、前記デバイス固有のＤＭＲＳは前記無線デバイスの少なくとも１つのパラメータに依存する、請求項１に記載の方法。
【請求項１０】
前記ＯＦＤＭシンボルの第１の部分および前記ＯＦＤＭシンボルの第２の部分は少なくとも部分的に重なり合っている、請求項１に記載の方法。
【請求項１１】
前記ＯＦＤＭシンボルの第１の部分および前記ＯＦＤＭシンボルの第２の部分は離れている、請求項１に記載の方法。
【請求項１２】
前記ＯＦＤＭシンボルの第１の部分および前記ＯＦＤＭシンボルの第２の部分の前記ＯＦＤＭシンボル内の周波数位置に関する情報を取得することをさらに含む、請求項１に記載の方法。
【請求項１３】
サーチスペースを監視するための無線デバイスであって、
処理回路構成と、
前記処理回路構成に動作可能に接続された通信インターフェースと、
前記処理回路構成に動作可能に接続された記憶媒体と
を含み、前記記憶媒体は、前記処理回路構成によって実行されたときに、前記無線デバイスに、
前記通信インターフェースを使用してダウンリンクスロットにおいて１つの直交周波数分割多重（ＯＦＤＭ）シンボルを受信させ、ここで前記ＯＦＤＭシンボルの第１の部分はデバイス固有サーチスペースに含まれ、前記ＯＦＤＭシンボルの第２の部分は共通サーチスペースに含まれ、
少なくとも１つのデバイス固有参照信号に対する前記ＯＦＤＭシンボルの第１の部分を監視させ、かつ、
少なくとも１つのデバイス固有でない参照信号に対する前記ＯＦＤＭシンボルの第２の部分を監視させる命令を記憶している、無線デバイス。
【請求項１４】
サーチスペースを監視するためのコンピュータプログラムであって、前記コンピュータプログラムはコンピュータコードを備え、前記コンピュータコードが無線デバイスの処理回路構成上で実行されたとき、前記コンピュータコードが前記無線デバイスに、
ダウンリンクスロットにおける１つの直交周波数分割多重（ＯＦＤＭ）シンボルを受信させ、ここで前記ＯＦＤＭシンボルの第１の部分はデバイス固有サーチスペースに含まれ、前記ＯＦＤＭシンボルの第２の部分は共通サーチスペースに含まれ、
少なくとも１つのデバイス固有参照信号を使用して前記ＯＦＤＭシンボルの第１の部分を監視させ、かつ、
少なくとも１つのデバイス固有でない参照信号を使用して前記ＯＦＤＭシンボルの第２の部分を監視させるように構成されている、コンピュータプログラム。
【請求項１５】
無線アクセスネットワークノードによって行われる、サーチスペースの監視を可能にするための方法であって、当該方法は、
ダウンリンクスロットにおける１つの直交周波数分割多重（ＯＦＤＭ）シンボルを送信することを含み、前記ＯＦＤＭシンボルの第１の部分はデバイス固有サーチスペースに含まれ、前記ＯＦＤＭシンボルの第２の部分は共通サーチスペースに含まれ、
前記ＯＦＤＭシンボルの第１の部分はデバイス固有参照信号を含み、かつ／または前記ＯＦＤＭシンボルの第２の部分はデバイス固有でない参照信号を含む、方法。
【請求項１６】
前記デバイス固有参照信号は、固有の無線デバイス、または無線デバイスの固有のグループが制御メッセージを監視できるようにする、請求項１５に記載の方法。
【請求項１７】
前記デバイス固有でない参照信号は、前記無線アクセスネットワークノードのカバレッジエリアにおける非固有の無線デバイスが制御メッセージを監視できるようにする、請求項１５に記載の方法。
【請求項１８】
前記ＯＦＤＭシンボルの第１の部分および前記ＯＦＤＭシンボルの第２の部分の前記ＯＦＤＭシンボル内の周波数位置に関する情報を無線デバイスに提供することをさらに含む、請求項１５に記載の方法。
【請求項１９】
前記デバイス固有でない参照信号はセルパラメータに依存し、前記デバイス固有参照信号は前記無線デバイスの少なくとも１つのパラメータに依存する、請求項１５に記載の方法。
【請求項２０】
サーチスペースの監視を可能にするための無線アクセスネットワークノードであって、当該無線アクセスネットワークノードは、
処理回路構成と、
前記処理回路構成に動作可能に接続された通信インターフェースと、
前記処理回路構成に動作可能に接続された記憶媒体と
を含み、前記記憶媒体は、前記処理回路構成によって実行されたときに、前記無線アクセスネットワークノードに、
前記通信インターフェースを使用してダウンリンクスロットにおける１つの直交周波数分割多重（ＯＦＤＭ）シンボルを送信させる命令を記憶しており、前記ＯＦＤＭシンボルの第１の部分はデバイス固有サーチスペースに含まれ、前記ＯＦＤＭシンボルの第２の部分は共通サーチスペースに含まれ、
前記ＯＦＤＭシンボルの第１の部分はデバイス固有参照信号を含み、かつ／または前記ＯＦＤＭシンボルの第２の部分はデバイス固有でない参照信号を含む、無線アクセスネットワークノード。
【請求項２１】
サーチスペースの監視を可能にするためのコンピュータプログラムであって、前記コンピュータプログラムはコンピュータコードを備え、前記コンピュータコードが無線アクセスネットワークノードの処理回路構成上で実行されたとき、前記コンピュータコードが前記無線アクセスネットワークノードに、
ダウンリンクスロットにおける１つの直交周波数分割多重（ＯＦＤＭ）シンボルを送信させるように、前記コンピュータプログラムは構成されており、前記ＯＦＤＭシンボルの第１の部分はデバイス固有サーチスペースに含まれ、前記ＯＦＤＭシンボルの第２の部分は共通サーチスペースに含まれ、
前記ＯＦＤＭシンボルの第１の部分はデバイス固有参照信号を含み、かつ／または前記ＯＦＤＭシンボルの第２の部分はデバイス固有でない参照信号を含む、コンピュータプログラム。
【発明の詳細な説明】
【技術分野】
【０００１】
本明細書に提示される実施形態は、サーチスペースを監視するための、方法、無線デバイス、コンピュータプログラム、およびコンピュータプログラム製品に関する。
【背景技術】
【０００２】
通信ネットワークでは、所与の通信プロトコル、そのさまざまな設計態様、および通信ネットワークが展開される物理環境についての良好な性能および容量を取得するための課題がある場合がある。
【０００３】
例えば、通信ネットワークにおける所与の通信プロトコルについての性能および容量に対して大きな影響を与える１つの設計態様は、参照信号（ＲＳ）の使用である。種々のタイプのＲＳは、直交周波数分割多重（ＯＦＤＭ）シンボル内で送信、受信、および使用可能である。
【０００４】
ＲＳに加えて、基本的に、将来の無線アクセス技術について予見される２つのタイプの物理ダウンリンク制御チャネル（ＰＤＣＣＨ）である、共通ＰＤＣＣＨおよびデバイス固有ＰＤＣＣＨがある。ＰＤＣＣＨは、共通制御領域およびデバイス固有制御領域において送信されてよい。
【０００５】
電気通信標準の３ＧＰＰ  Ｌｏｎｇ  Ｔｅｒｍ  Ｅｖｏｌｕｔｉｏｎ（ＬＴＥ）スイートでは、サーチスペースは、無線デバイスが復号しようとするはずである候補制御チャネルのセットとして理解されてよく、２つ以上のサーチスペースがある場合がある。とりわけ、サーチスペースは、セルの全ての無線デバイスに共通である共通サーチスペース、またはデバイス識別の非単射関数によって判断される性質を有する場合があるため、セルのいくつかの他のデバイスと共有されてよいデバイス固有サーチスペースであってよい。ＬＴＥセルにおいて、全てのサーチスペースは、１つまたは複数のサブバンドの一定のセットに含有されてよい。
【０００６】
３ＧＰＰリリース８におけるＰＤＣＣＨについて、（共通制御サーチスペースとして構造化される）共通制御領域は、全システム帯域幅にわたる第１の少数のＯＦＤＭシンボルにおけるプロトコル層−１／層−２（Ｌ１／Ｌ２）制御領域、および（デバイス固有サーチスペースとして構造化される）任意のデバイス固有制御領域内に位置する。さらに、共通参照信号（ＣＲＳ）は、（Ｌ１／Ｌ２制御領域を含む）全サブフレームにおいて送信される。共通またはデバイス固有サーチスペースにおけるいずれのＰＤＣＣＨも、ＣＲＳと同じアンテナ重み（ビーム形成）を使用して送信される。
【０００７】
無線デバイスは、サーチスペースにおける可能なＰＤＣＣＨ候補のブラインド復号を行うために、各制御領域における共通およびデバイス固有サーチスペースを監視し、かつチャネルを推定するためにＣＲＳを使用する。これによって、任意のデバイス固有ＰＤＣＣＨのデバイス固有ビーム形成は回避されるが、これは、ＣＲＳが、デバイス固有のやり方でビーム形成されると想定されないからである。例えば、ランダムアクセス応答、システム情報、割り当ておよびページング情報といった、ＰＤＣＣＨメッセージの多くは、個々の無線デバイスではなく無線デバイスのグループにアドレス指定される。
【０００８】
３ＧＰＰリリース１１において、デバイス固有制御チャネルサーチスペースの新しいセットは、関連したデバイス固有の復調用参照信号（ＤＭＲＳ）と共に追加された。これによって、ネットワークは、例えば、ある特定の無線デバイスまたは無線デバイスのある特定のグループに向けて、デバイス固有ビーム形成を使用して無線デバイスにデバイス固有制御メッセージを送ることができる。ｅＰＤＣＣＨサーチスペース（接頭辞ｅ−は拡張（ｅｎｈａｎｃｅｄ）の省略である）として既知のサーチスペースは、データ領域におけるＬ１／Ｌ２シンボルの後に送られ（かつ受信され）た制御領域に位置し、かつリソースブロックの小さなサブセットに制限される。
【０００９】
図１は、時間の関数として（帯域幅に関して）周波数利用を示す、３ＧＰＰリリース１１のサブフレーム１５０の構造の例を概略的に示す。サブフレーム１５０は、ＰＤＣＣＨ制御領域１９０、データ領域１７０、およびｅＰＤＣＣＨ制御領域１８０を含み、ここで、ｅＰＤＣＣＨ制御領域１８０はｅＰＤＣＣＨ１６０を含む。ｅＰＤＣＣＨ１６０は、同じサブフレームにおけるデータ領域１７０をスケジューリングする制御情報を伝達することができる。無線デバイスは、１つまたは複数のｅＰＤＣＣＨサーチスペース１８０におけるｅＰＤＣＣＨを監視する。ｅＰＤＣＣＨ１６０が見つかる場合、見つけたｅＰＤＣＣＨはサブフレームにおけるデータ領域１７０を特定してよい。図１によると、スケジューリングされたデータ領域における任意のデータの復号は、ｅＰＤＣＣＨ領域が十分に監視されるまで、すなわち、サブフレーム全体が受信されてからしか、開始できないことになる。デインターリーブも可能である。
【００１０】
それ故に、サーチスペースにおける改善された監視が必要とされている。
【発明の概要】
【００１１】
本明細書における実施形態の目的は、サーチスペースの効率的な監視を提供することである。
【００１２】
第１の態様によると、サーチスペースを監視するための方法が提示される。方法は無線デバイスによって行われる。方法は、ダウンリンクスロットにおいてＯＦＤＭシンボルを受信することを含む。ＯＦＤＭシンボルの少なくとも一部は、デバイス固有サーチスペースおよび共通サーチスペースに含まれる。方法は、少なくとも１つのデバイス固有参照信号に対するデバイス固有サーチスペースを監視することを含む。方法は、少なくとも１つの非デバイス固有参照信号に対する共通サーチスペースを監視することを含む。
【００１３】
有利には、この方法は、サーチスペースの効率的な監視を提供することで、制御領域の効率的な監視を可能にする。
【００１４】
有利には、サーチスペースを監視するためのこの方法は、制御領域の監視のための既存の機構と比較してレイテンシを低減する。復号は、制御領域の監視のための既存の機構におけるようなサブフレーム全体の終わりではなく、制御シンボルおよび第１のデータシンボルの受信後に開始してよい。このレイテンシ利得は、制御データが共通であるかまたはデバイス固有であるかどうかにかかわらず可能であってよい。
【００１５】
第２の態様によると、サーチスペースを監視するための無線デバイスが提示される。無線デバイスは、処理回路構成および通信インターフェースを含む。処理回路構成は、無線デバイスに、通信インターフェースを使用してダウンリンクスロットにおいてＯＦＤＭシンボルを受信させるように設定される。ＯＦＤＭシンボルの少なくとも一部は、デバイス固有サーチスペースおよび共通サーチスペースに含まれる。処理回路構成は、無線デバイスに、少なくとも１つのデバイス固有参照信号に対するデバイス固有サーチスペースを監視させるように設定される。処理回路構成は、無線デバイスに、少なくとも１つの非デバイス固有参照信号に対する共通サーチスペースを監視させるように設定される。
【００１６】
第３の態様によると、サーチスペースを監視するための無線デバイスが提示される。無線デバイスは、処理回路構成、通信インターフェース、および記憶媒体を含む。記憶媒体は、処理回路構成によって実行される時、無線デバイスに動作またはステップを行わせる命令を記憶する。動作またはステップは、無線デバイスに、通信インターフェースを使用してダウンリンクスロットにおいてＯＦＤＭシンボルを受信させる。ＯＦＤＭシンボルの少なくとも一部は、デバイス固有サーチスペースおよび共通サーチスペースに含まれる。動作またはステップは、無線デバイスに、少なくとも１つのデバイス固有参照信号に対するデバイス固有サーチスペースを監視させる。動作またはステップは、無線デバイスに、少なくとも１つの非デバイス固有参照信号に対する共通サーチスペースを監視させる。
【００１７】
第４の態様によると、サーチスペースを監視するための無線デバイスが提示される。無線デバイスは、ダウンリンクスロットにおいてＯＦＤＭシンボルを受信するように設定される受信モジュールを含む。ＯＦＤＭシンボルの少なくとも一部は、デバイス固有サーチスペースおよび共通サーチスペースに含まれる。無線デバイスは、少なくとも１つのデバイス固有参照信号を使用してデバイス固有サーチスペースを監視するように設定される監視モジュールを含む。無線デバイスは、少なくとも１つの非デバイス固有参照信号を使用して共通サーチスペースを監視するように設定される監視モジュールを含む。
【００１８】
第５の態様によると、サーチスペースを監視するためのコンピュータプログラムであって、無線デバイス上で起動する時、無線デバイスに第１の態様による方法を行わせるコンピュータプログラムコードを含む、コンピュータプログラムが提示される。
【００１９】
第６の態様によると、第５の態様によるコンピュータプログラムと、コンピュータプログラムが記憶されるコンピュータ可読記憶媒体とを含むコンピュータプログラム製品が提示される。コンピュータ可読媒体は非一時的なコンピュータ可読記憶媒体であってよい。
【００２０】
第７の態様によると、とりわけ、無線デバイスのサーチスペースの監視を可能にする、サーチスペースの監視を可能にするための方法が提示される。方法は、無線アクセスネットワークノードによって行われる。方法は、ダウンリンクスロットにおいてＯＦＤＭシンボルを送信することを含む。ＯＦＤＭシンボルの少なくとも一部は、デバイス固有サーチスペースおよび共通参照サーチスペースに含まれる。デバイス固有サーチスペースはデバイス固有参照信号を含み、かつ／または共通サーチスペースは非デバイス固有参照信号を含む。
【００２１】
第８の態様によると、サーチスペースの監視を可能にするための無線アクセスネットワークノードが提示される。無線アクセスネットワークノードは、処理回路構成および通信インターフェースを含む。処理回路構成は、無線アクセスネットワークノードに、通信インターフェースを使用してダウンリンクスロットにおいてＯＦＤＭシンボルを送信させるように設定される。ＯＦＤＭシンボルの少なくとも一部は、デバイス固有サーチスペースおよび共通参照サーチスペースに含まれる。デバイス固有サーチスペースはデバイス固有参照信号を含み、かつ／または共通サーチスペースは非デバイス固有参照信号を含む。
【００２２】
第９の態様によると、サーチスペースの監視を可能にするための無線アクセスネットワークノードが提示される。無線アクセスネットワークノードは、処理回路構成、通信インターフェース、および記憶媒体を含む。記憶媒体は、処理回路構成によって実行される時、無線アクセスネットワークノードに、通信インターフェースを使用してダウンリンクスロットにおいてＯＦＤＭシンボルを送信させる命令を記憶する。ＯＦＤＭシンボルの少なくとも一部は、デバイス固有サーチスペースおよび共通サーチスペースに含まれる。デバイス固有サーチスペースはデバイス固有参照信号を含み、かつ／または共通サーチスペースは非デバイス固有参照信号を含む。
【００２３】
第１０の態様によると、サーチスペースの監視を可能にするための無線アクセスネットワークノードが提示される。無線アクセスネットワークノードは、ダウンリンクスロットにおいてＯＦＤＭシンボルを送信するように設定される送信モジュールを含む。ＯＦＤＭシンボルの少なくとも一部は、デバイス固有サーチスペースおよび共通参照サーチスペースに含まれる。デバイス固有サーチスペースはデバイス固有参照信号を含み、かつ／または共通サーチスペースは非デバイス固有参照信号を含む。
【００２４】
第１１の態様によると、サーチスペースの監視を可能にするためのコンピュータプログラムであって、無線アクセスネットワークノードの処理回路構成上で起動する時、無線アクセスネットワークノードに第７の態様による方法を行わせるコンピュータプログラムコードを含むコンピュータプログラムが提示される。
【００２５】
第１２の態様によると、第１１の態様によるコンピュータプログラムと、コンピュータプログラムが記憶されるコンピュータ可読記憶媒体とを含むコンピュータプログラム製品が提示される。コンピュータ可読媒体は非一時的なコンピュータ可読記憶媒体とすることが可能である。
【００２６】
有利には、この方法は、無線デバイスによるサーチスペースの効率的な監視を可能にすることで、制御領域の効率的な監視が可能になる。
【００２７】
有利には、サーチスペースの監視を可能にするためのこの方法は、制御領域の監視のための既存の機構と比較して、レイテンシの低減を可能にする。復号は、制御領域の監視のための既存の機構にあるようなサブフレーム全体の終わりではなく、制御シンボルおよび第１のデータシンボルの無線デバイスによる受信後に開始することが可能とされる。このレイテンシ利得は、制御データが共通であるかまたはデバイス固有であるかどうかにかかわらず可能であってよい。
【００２８】
第１の態様、第２の態様、第３の態様、第４の態様、第５の態様、第６の態様、第７の態様、第８の態様、第９の態様、第１０の態様、第１１の態様、および第１２の態様のうちのいずれの態様も、適切であればどんな場合でも、任意の他の態様に適用可能であることに留意されたい。同様に、第１の態様のいずれの利点も、第２の態様、第３の態様、第４の態様、第５の態様、第６の態様、第７の態様、第８の態様、第９の態様、第１０の態様、第１１の態様、および／または第１２の態様にそれぞれ等しく適用可能であり、逆もまた同様である。包含される実施形態の他の目的、特徴、および利点は、以下の詳細な開示から、添付の従属請求項から、および図面から明らかとなるであろう。
【００２９】
一般に、特許請求の範囲で使用される全ての用語は、本明細書に別段明示的に規定されない限り、技術分野におけるそれらの通常の意味に従って解釈されるものとする。「不定冠詞／定冠詞（ａ／ａｎ／ｔｈｅ）が付されたエレメント、装置、構成要素、手段、ステップなど」への言及は全て、別段明示的に記されていない限り、エレメント、装置、構成要素、手段、ステップなどの少なくとも１つの事例に言及していると率直に解釈されるべきである。本明細書に開示されるいずれの方法のステップも、明示的に記されていない限り、開示される厳密な順序で行われる必要はない。
【００３０】
ここで、例として、添付の図面を参照して、発明概念について説明する。
【図面の簡単な説明】
【００３１】
【図１】先行技術によるサブフレーム構造を概略的に示す図である。
【図２】実施形態による通信ネットワークを示す概略図である。
【図３】実施形態による方法のフローチャートである。
【図４】実施形態による方法のフローチャートである。
【図５】実施形態による方法のフローチャートである。
【図６】実施形態による方法のフローチャートである。
【図７】一実施形態によるＯＦＤＭシンボル構造を概略的に示す図である。
【図８】一実施形態による、データ領域をスケジューリングするＰＤＣＣＨを含む制御領域を概略的に示す図である。
【図９】一実施形態による無線デバイスの機能ユニット示す概略図である。
【図１０】一実施形態による無線デバイスの機能モジュールを示す概略図である。
【図１１】一実施形態による無線アクセスネットワークノードの機能ユニットを示す概略図である。
【図１２】一実施形態による無線アクセスネットワークノードの機能モジュールを示す概略図である。
【図１３】一実施形態によるコンピュータ可読記憶媒体を含むコンピュータプログラム製品の１つの例を示す図である。
【発明を実施するための形態】
【００３２】
同様の番号は図全体を通して同様のエレメントに言及する。破線によって示されるいずれのステップまたは特徴も、オプションとみなされるものとする。
【００３３】
ここで、以降、添付の図面を参照して発明概念についてより詳しく説明する。これら図面には、この発明概念のある特定の実施形態が示されている。しかしながら、この発明概念は、多くの種々の形態で具現化されてよく、本明細書に示される実施形態に限定されると解釈されるべきではなく、むしろ、これらの実施形態は、本開示が綿密かつ徹底的になるように例として提供され、発明概念の範囲を当業者に完全に伝えるものとなる。
【００３４】
図２は、本明細書に提示される実施形態が適用可能である通信ネットワーク１００を示す概略図である。通信ネットワーク１００は、（無線アクセスネットワークノード３００がネットワークアクセスを提供するこの無線カバレッジエリア１２０によって表されるような）無線アクセスネットワーク、コアネットワーク１３０、およびサービスネットワーク１４０を含む。
【００３５】
無線アクセスネットワークは、コアネットワーク１３０に動作可能に接続され、コアネットワーク１３０はさらにまた、サービスネットワーク１４０に動作可能に接続される。無線アクセスネットワークノード３００はそれによって、無線デバイス２００が、サービスにアクセスし、かつサービスネットワーク１４０によって提供されるデータを交換することを可能にする。
【００３６】
無線デバイス２００の例には、移動局、携帯電話、ハンドセット、無線ローカルループ電話、ユーザ機器（ＵＥ）、スマートフォン、ラップトップコンピュータ、タブレットコンピュータ、センサ、アクチュエータ、モデム、中継器、およびネットワークを備えたモノのインターネットデバイスが挙げられるが、これらに限定されない。無線アクセスネットワークノード１１０の例には、無線基地局、ベーストランシーバ基地局、Ｎｏｄｅ  Ｂ、エボルブドＮｏｄｅ  Ｂ、（「新無線」または省略してＮＲと示される通信ネットワークにおける）ｇＮＢ、およびアクセスポイントが挙げられるが、これらに限定されない。当業者には理解されるように、通信システム１００は、複数の無線アクセスネットワークノード１１０を含むことができ、このノードのそれぞれは、複数の無線デバイス２００へのネットワークアクセスを提供する。本明細書に開示される実施形態は、任意の特定の数の、無線アクセスネットワークノード１１０または無線デバイス２００に限定されない。
【００３７】
通信システムを進化させるために、コードワードが個々のＯＦＤＭシンボルにマッピング可能であり、またはＯＦＤＭシンボルごとの数個のコードワードさえもマッピング可能であることが予見される。コードワードおよびＯＦＤＭシンボルが必ずしも厳密に整合されるわけではなく、すなわち、いくつかのコードワードが複数のＯＦＤＭシンボルにわたってよいことは留意されたい。これによって、無線デバイスが、データを含むＯＦＤＭシンボルが受信されるとすぐ復号を開始可能とすることができる。
【００３８】
第５世代のモバイル通信および無線技術（５Ｇ）はまだ十分に規定されていないが、３ＧＰＰ内の高度な起草段階にある。これには、５Ｇ（ＮＲ）アクセス技術についての研究が含まれる。ＬＴＥの専門用語は、本開示において、異なる用語が５Ｇにおいて指定される場合があるが、同等の５Ｇエンティティまたは機能性を含むように将来を考慮した意味で使用される。これまでの５Ｇ新無線（ＮＲ）アクセス技術についての協約の一般的な説明は、３ＧＰＰ  ＴＲ３８．８０２  Ｖ０．３．０（２０１６−１０）に含有され、この草案バージョンがＲ１−１６１０８４８として公表されている。最終的な仕様は、とりわけ、将来的な３ＧＰＰ  ＴＳ３８．２＊＊シリーズにおいて公表される場合がある。
【００３９】
低レイテンシが重要である、進化した通信システムを考慮する時、（データおよび）制御領域の監視のための上で開示された既存の機構では数個の問題点があり、この場合、ビーム形成された制御メッセージングが使用される。さらに、いくつかの態様における無線デバイスがシステム帯域幅を知らない進化させた通信システムでは、いずれの無線デバイスもこの帯域幅の小さな一部のみにアクセスできる時、全体の場合によっては非常に大きな帯域幅にわたるＬ１／Ｌ２制御領域を有することは不要である場合がある。例えば、無線アクセスネットワークノードは、１００ＭＨｚの帯域幅上で信号を送信および受信してよく、それぞれの無線デバイスは、４０ＭＨｚの帯域幅上での信号の送信および受信に限定される場合がある。
【００４０】
従って、本明細書に提示される実施形態は、サーチスペースを監視し、かつサーチスペースの監視を可能にするための機構に関する。このような機構を取得するために、無線デバイス２００と、無線デバイス２００によって行われる方法と、例えば、無線デバイス２００上で起動する時、無線デバイス２００に方法を行わせるコンピュータプログラムの形態のコードを含むコンピュータプログラム製品とが提供される。このような機構を取得するために、無線アクセスネットワークノード３００と、無線アクセスネットワークノード３００によって行われる方法と、例えば、無線アクセスネットワークノード３００上で起動する時、無線アクセスネットワークノード３００に方法を行わせるコンピュータプログラムの形態のコードを含むコンピュータプログラム製品とが提供される。
【００４１】
本明細書に開示される実施形態の少なくともいくつかは、ダウンリンクにおいて（すなわち、無線アクセスネットワークノードによって送信され、かつ無線デバイスによって受信される）ＯＦＤＭシンボル内の種々のタイプのＲＳの送信、受信、および利用に関する。実施形態は、サイドリンクにおいて送信されるＯＦＤＭシンボルに等しく適用可能であってよい。例えば、ＲＳは、制御領域にマッピングされてよい制御チャネルの復調に使用されてよい。
【００４２】
図３および図４は、サーチスペースを監視するための方法としての実施形態を示すフローチャートである。方法は無線デバイス２００によって行われる。方法は、有利には、コンピュータプログラム１３２０ａを実行することによって実現されてよい。
【００４３】
ここで、一実施形態による無線デバイス２００によって行われるサーチスペースを監視するための方法を示す図３を参照する。
【００４４】
（ビーム形成が多くの無線デバイス２００に達することを可能にする）共通サーチスペースにおける共通制御領域、および（ビーム形成が固有の無線デバイスに達することを可能にする）デバイス固有サーチスペースにおけるデバイス固有領域が両方共、同じＯＦＤＭシンボルにおいて提供される、または、少なくとも、同じＯＦＤＭシンボルにおいて始まる場合、レイテンシは制御または低減可能である。それ故に、無線デバイス２００はステップＳ１０４を行うように設定される。
【００４５】
Ｓ１０４：無線デバイス２００はダウンリンクスロットにおいてＯＦＤＭシンボルを受信する。ＯＦＤＭシンボルの少なくとも一部は、デバイス固有サーチスペースおよび共通サーチスペースに含まれる。
【００４６】
ＯＦＤＭシンボルを受信すると、無線デバイス２００は、デバイス固有サーチスペースおよび共通サーチスペース両方共を監視するため、ステップＳ１０６、Ｓ１０８を行うように設定される。
【００４７】
Ｓ１０６：無線デバイス２００は、少なくとも１つのデバイス固有参照信号に対するデバイス固有サーチスペースを監視する。
【００４８】
Ｓ１０８：無線デバイス２００は、少なくとも１つの非デバイス固有参照信号に対する共通サーチスペースを監視する。
【００４９】
この点において、参照信号に対するサーチスペースを監視することは、参照信号を認識しようとするサーチスペースを読み出すこと、サーチスペースにおいて参照信号をサーチすること、サーチスペースにおける参照信号の適合を試みること、参照信号が存在する場合があることを知っている、サーチスペースにおいて送信された制御メッセージの復号を試みること、および／または参照信号の存在の可能性を想定する、サーチスペースにおいて送信された制御メッセージの復号を試みることであると解釈される。
【００５０】
方法は、よって、同じＯＦＤＭシンボルにおける（場合によっては異なってビーム形成される）共通制御メッセージおよびデバイス固有制御メッセージ両方の送信を可能にすることで、（共通および／またはデバイス固有の）任意のスケジューリングされたデータ領域の第１のＯＦＤＭシンボルにおいて即座の復号が開始可能になる。この目的のために、データに対する参照信号は、好ましくは、データ領域の初めに挿入される。
【００５１】
ここで、無線デバイス２００によって行われるような、サーチスペースを監視するさらなる詳細に関する実施形態が開示される。
【００５２】
ダウンリンクスロットには種々の位置のＯＦＤＭシンボルがある場合がある。一実施形態によると、ＯＦＤＭシンボルは、ダウンリンクスロットにおける第１の経時的に生じるＯＦＤＭシンボルである。異なるように系統立てて示すと、ＯＦＤＭシンボルはダウンリンクスロットにおける最初のものであり、時間に関して、ＯＦＤＭシンボルは他のシンボルの前に送信された。種々の位置のデバイス固有サーチスペースがある場合がある。一実施形態によると、デバイス固有サーチスペースの少なくとも一部は、第１のＯＦＤＭシンボルに含まれる。種々の位置の共通サーチスペースがある場合がある。一実施形態によると、共通サーチスペースの少なくとも一部は、第１のＯＦＤＭシンボルに含まれる。
【００５３】
ここで、さらなる実施形態による無線デバイス２００によって行われるような、サーチスペースを監視するための方法を示す図４を参照する。図３に関する上の説明にあるようなステップＳ１０４、Ｓ１０６、Ｓ１０８が行われるため、これについて繰り返される必要はないことが想定される。
【００５４】
無線デバイスは、現時点以降の、種々の制御領域、位置、およびタイプを知ることができる。それ故に、一実施形態によると、無線デバイス２００はステップＳ１０２を行うように設定される。
【００５５】
Ｓ１０２：無線デバイスは、デバイス固有サーチスペースおよび共通サーチスペースのＯＦＤＭシンボル内の周波数位置に関する情報を取得する。
【００５６】
この情報は、周波数領域におけるそれぞれの制御領域の位置およびサイズを含んでよい。この位置はセルＩＤに基づいてよい。デバイス固有のケースの場合、情報はデバイス固有であってよい。周波数位置は、無線リソース制御（ＲＲＣ）シグナリング上の準静的シグナリング、媒体アクセス制御（ＭＡＣ）エレメントシグナリング、先のＰＤＣＣＨにおける動的シグナリング、または他の手段によって、無線アクセスネットワークノード３００から無線デバイス２００に伝えられてよい。オプションとして、無線デバイスは、ＯＦＤＭシンボルの時間位置を、例えば、シンボルの場所に関して取得することができる。
【００５７】
それぞれのサーチスペースまたは制御領域は、サブバンドのセットとして規定されてよい。それ故に、一実施形態によると、デバイス固有サーチスペースおよび共通サーチスペースのそれぞれは、対応する周波数サブバンドに含有される。それぞれの周波数サブバンドは、５ＭＨｚ程度の帯域幅を有することができる。種々のサブバンドは種々の帯域幅を有してよい。共通制御サブバンドおよびデバイス固有制御サブバンドは、それによって、（少なくとも）１つの同じＯＦＤＭシンボル内で使用可能である。
【００５８】
非デバイス固有の復調用参照信号（ＤＭＲＳ）のセットは、共通サブバンドまたは共通サーチスペースに対して規定されてよく、デバイス固有のＤＭＲＳのセットは、デバイス固有サブバンドまたはデバイス固有サーチスペースに対して規定されてよい。それ故に、一実施形態によると、デバイス固有サーチスペースは、デバイス固有のＤＭＲＳに対して確保されたリソースを含み、共通サーチスペースは、非デバイス固有のＤＭＲＳに対して確保されたリソースを含む。この点において、リソースが確保されるという事実は、リソースが時間／周波数グリッドにおける事前規定された（または事前に承諾した）場所を有すると解釈されるものとする。共通および／またはデバイス固有ＰＤＣＣＨなど、ＲＳを伝達しないＯＦＤＭシンボルにおける残りのリソースエレメントは、ペイロードを制御するために使用されてよい。同様に、それぞれのサブバンドまたはサーチスペースは、複数のＤＭＲＳに対して確保されたリソースを含んでよい。サーチスペースが複数のサーチスペース候補を含む場合、それぞれの候補は、それ自体のＤＭＲＳリソースと関連付けられてよい。種々の候補のＤＭＲＳリソースは、重なり合ってよい、もしくは部分的に重なり合ってよい、または代替的には、互いに離れていてよい。
【００５９】
上で開示されるように、ＯＦＤＭシンボルの少なくとも一部は、デバイス固有サーチスペースおよび共通サーチスペースに含まれる。よって、ＯＦＤＭシンボルは、共通サーチスペースおよびデバイス固有サーチスペースを含有してよい。それぞれのサーチスペースは、ＰＤＣＣＨ候補、サーチスペース候補、またはサーチスペース制御チャネル候補といった、１つまたはいくつかの制御チャネル候補を含んでよい。ＰＤＣＣＨは、送信される場合、サーチスペースＰＤＣＣＨ候補のうちの１つにおいて送信される。ＰＤＣＣＨが送信される場合、対応するＤＭＲＳも送信されてよい。ＰＤＣＣＨが送信されることに応じて、ＰＤＣＣＨおよびＤＭＲＳの２つの組み合わせが同時に、その他の場合、１つのみあってよい。代替的には、ＤＭＲＳはサーチスペースまたはサーチスペース制御チャネル候補に接続され、かつＰＤＣＣＨが送信されるか否かに関係なく送信されてよい。
【００６０】
よって、一実施形態によると、無線デバイス２００は、ステップＳ１０６の一部としてのステップＳ１０６ａ、Ｓ１０６ｂを行うように設定される。
【００６１】
Ｓ１０６ａ：無線デバイス２００はデバイス固有サーチスペースにおいてデバイス固有ＰＤＣＣＨメッセージを検出する。
【００６２】
Ｓ１０６ｂ：無線デバイス２００は、デバイス固有ＰＤＣＣＨメッセージから、デバイス固有データ領域に対するリソースブロックを特定する。
【００６３】
さらなる実施形態によると、無線デバイス２００は、ステップＳ１０８の一部としてのステップＳ１０８ａ、Ｓ１０８ｂを行うように設定される。
【００６４】
Ｓ１０８ａ：無線デバイス２００は、共通サーチスペースにおいて非デバイス固有ＰＤＣＣＨメッセージを検出する。
【００６５】
Ｓ１０８ｂ：無線デバイス２００は、非デバイス固有ＰＤＣＣＨメッセージから、非デバイス固有データ領域に対するリソースブロックを特定する。
【００６６】
この点において、サブバンド内のＤＭＲＳに使用されないリソースエレメントは、制御目的および／またはデータ送信に利用されてよい。制御サブバンド外のリソースエレメントはデータ送信に使用されてよい。
【００６７】
これは、同じＯＦＤＭシンボル内で、ネットワークが、無線アクセスネットワークノードを介して、第１のビーム形成設定を使用して複数の無線デバイス２００にアドレス指定されたＰＤＣＣＨを送信してよく、かつ第１のビーム形成設定と異なる第２のビーム形成設定を使用して固有の無線デバイス２００にアドレス指定されたＰＤＣＣＨを送信してよいことを意味する。好ましくは、第１のビーム形成設定は、比較的幅広い、または第２のビーム形成設定よりも少なくとも幅広い。これに関連して、幅広い設定は、低度の空間または角度の選択性を有することが予想されるものであり、見通し線の条件では、これは大きなビーム角度に対応する。これによって、無線デバイス２００は、グループメッセージおよび個々のメッセージ両方に対する制御領域におけるサーチスペースを監視し、理論的に可能な限り早くこれらのＰＤＣＣＨを復号し、アドレス指定されたデータ領域において実質的に即座にデータコードワードの復号を開始することが可能になる。
【００６８】
制御に使用されないＯＦＤＭシンボルの一部はデータに使用されることはさらにまた予見できる。制御領域は、ＯＦＤＭシンボルにおける全てのリソースを占有しない場合があるため、例えば、少なくとも１つの無線デバイス２００に対するデータトラフィックに利用されてよいリソースがＯＦＤＭシンボルに残っている場合がある。
【００６９】
図５および図６は、サーチスペースの監視を可能にするための方法としての実施形態を示すフローチャートである。方法は、無線アクセスネットワークノード３００によって行われる。方法は、有利には、コンピュータプログラム１３２０ｂを実行することによって実現されてよい。これらの例示の実施形態では、無線アクセスネットワークノード３００はダウンリンクにおいてＯＦＤＭシンボルを送信するが、ＯＦＤＭシンボルがサイドリンクにおいて送信される変形も等しく可能である。
【００７０】
ここで、一実施形態による無線アクセスネットワークノード３００によって行われるようなサーチスペースの監視を可能にするための方法を示す図５を参照する。
【００７１】
上に開示されるように、ステップＳ１０４における無線デバイス２００は、ダウンリンクスロットにおいてＯＦＤＭシンボルを受信する。無線アクセスネットワークノード３００がこのようなＯＦＤＭシンボルを送信することが想定される。それ故に、無線アクセスネットワークノード３００はステップＳ２０４を行うように設定される。
【００７２】
Ｓ２０４：無線アクセスネットワークノード３００はダウンリンクスロットにおいてＯＤＭシンボルを送信する。ＯＦＤＭシンボルの少なくとも一部は、デバイス固有サーチスペースおよび共通サーチスペースに含まれる。デバイス固有サーチスペースはデバイス固有参照信号を含み、かつ／または共通サーチスペースは非デバイス固有参照信号を含む。
【００７３】
完全を期すために、サーチスペースのうちの少なくとも１つは、物理制御チャネルがダウンリンクスロットにおいて送信される場合ＲＳを含むことは留意されたい。物理制御チャネルが送信されない場合、存在するＲＳはない。
【００７４】
ここで、無線アクセスネットワークノード３００によって行われるようなサーチスペースの監視を可能にするさらなる詳細に関する実施形態について、開示する。
【００７５】
よって、以下における（ａ）および（ｂ）：（ａ）デバイス固有サーチスペースはデバイス固有参照信号を含むこと、（ｂ）共通サーチスペースは非デバイス固有参照信号を含むこと、のうちの少なくとも１つが成り立つ。
【００７６】
一実施形態によると、デバイス固有参照信号は、固有の無線デバイス２００、または無線デバイスの固有のグループが制御メッセージを監視できるようにする。
【００７７】
一実施形態によると、非デバイス固有参照信号は、無線アクセスネットワークノード３００のカバレッジエリアにおける非固有の無線デバイスが制御メッセージを監視できるようにする。
【００７８】
ここで、さらなる実施形態による、無線アクセスネットワークノード３００によって行われるようなサーチスペースの監視を可能にするための方法を示す図６を参照する。図５に関して上述されるようなステップＳ２０４が行われるため、この説明を繰り返す必要がないことは想定される。
【００７９】
上に開示されるように、一実施形態によると、無線デバイス２００は位置情報を取得する。それ故に、一実施形態によると、無線アクセスネットワークノード３００はステップＳ２０２を行うように設定される。
【００８０】
Ｓ２０２：無線アクセスネットワークノード３００は、デバイス固有サーチスペースおよび共通サーチスペースのＯＦＤＭシンボル内の周波数に関する情報を無線デバイス２００に提供する。
【００８１】
ここで、無線デバイス２００および無線アクセスネットワークノード３００両方に適用可能なさらなる実施形態について、開示する。
【００８２】
図７は、デバイス固有制御領域７１０および非デバイス固有制御領域７２０両方を含むＯＦＤＭシンボル構造７００を概略的に示す。各制御領域は各ＤＭＲＳに対するリソースを含む。それぞれの制御領域は、ＤＭＲＳに対して確保されるリソースエレメント（ＲＥ）７４０、７６０を含む。さらなるＲＥ７３０、７５０はＰＤＣＣＨメッセージを含有することができる。ＤＭＲＳの密度は種々の制御領域において異なっていてよい、または均一であってよい。対応するＤＭＲＳの密度および位置は、サブバンドに応じて、設定されてよい、または固定パターンに従ったものであってよい。さらに、ＤＭＲＳは、個々のサーチスペースＰＤＣＣＨ候補と関連付けられてよく、かつ、ＰＤＣＣＨが実際に送信される場合にのみ送信されてよい。ＤＭＲＳが個々のサーチスペースＰＤＣＣＨ候補と関連付けられる場合、種々の候補のＤＭＲＳリソースは重なり合ってよい、部分的に重なり合ってよい、または代替的には互いに離れていてよい。
【００８３】
無線アクセスネットワークノードは、また、そのタイプのＰＤＣＣＨメッセージを送る場合に、ある特定のタイプの参照信号のみを送るように設定されてよい。そのように、ネットワークにおける干渉レベルは、制御可能である、または小さいままにすることができる。送信される時、参照信号は、制御領域内の送られたＰＤＣＣＨメッセージの付近に位置してよい。
【００８４】
図８は、データ領域８３０、８４０の時間および／または周波数の位置を特定するデバイス固有制御領域（ＰＤＣＣＨ）８１０および非デバイス固有制御領域（ＰＤＣＣＨ）８２０両方を含むＯＦＤＭシンボル構造８００を示す。共通およびユーザ固有（またはデバイス固有）領域のうちの１つまたは両方におけるコードワードがＯＦＤＭシンボルごとの復号のために配置される場合、レイテンシは低減される。図８において、２つのタイプの制御領域は、重なり合っていないが、代替的には、完全にまたは部分的に重なり合ってよい。
【００８５】
それ故に、一実施形態によると、デバイス固有サーチスペースおよび共通サーチスペースは少なくとも部分的に重なり合っている。共通制御領域およびデバイス固有制御領域が（部分的に）重なり合っている場合、各参照信号は区別可能でなければならない。これを保証することができるいくつかのやり方がある。割り当ては、（ある特定のタイプの）ＲＳが（そのタイプの）ＰＤＣＣＨが実際に送信される時のみに利用可能であるようにしてよい。さらにまた、好ましくは、ＲＳは、送られたＰＤＣＣＨの付近においてのみ送信される。無線アクセスネットワークノードは所与のリソースにおいて何が送られるかを知っているため、無線アクセスネットワークノードは、種々のタイプのＲＳが区別可能であることを保証することができる。無線デバイス２００は、ＲＳタイプ、および候補メッセージおよびＲＳの位置に関する種々の想定を使用して、重なり合っているサーチスペースを監視さえすればよい。ＲＳは、重なり合わないように、十分隔離されたビームにおいて、または直交もしくは準直交ＲＳシーケンスを使用して送信される場合、区別可能とすることができる。種々のサーチスペースに対する種々のＲＳは、よって、制御チャネル送信が同じ時間周波数リソースを使用することになる場合でも、デバイスが、共通サーチスペースおよびデバイス固有サーチスペースにおいて送信された制御メッセージの間を区別可能とすることができる。
【００８６】
代替的には、デバイス固有サーチスペースおよび共通サーチスペースは、分離される（または互いに離れている）。それ故に、別の実施形態によると、デバイス固有サーチスペースおよび共通サーチスペースは重なり合っていない。割り当てスキームを使用して、デバイス固有ＲＳおよび共通ＲＳが重なり合わないことを保証することができる。
【００８７】
デバイス固有ＲＳは、無線デバイス、無線デバイス識別、セル無線ネットワーク一時識別子（ＣＲＮＴＩ）、無線デバイス能力、無線デバイスに対する設定されたパラメータ、または、２つ以上の無線デバイスを差別化することができる、または無線デバイスの２つ以上のグループを差別化することができる任意の他の特性に依存する性質または特性を有することができる。
【００８８】
非デバイス固有ＲＳは、セルＩＤ、時間または周波数領域における位置、または無線デバイスのセットに対して設定されたパラメータに依存する性質または特性を有することができる。この意味での無線デバイスのセットは、共通サーチスペースにおいてＰＤＣＣＨを受信するためのそのような無線デバイスを含んでよく、このセットはとりわけ、セルにおける全ての無線デバイスを含んでよい。
【００８９】
本明細書に開示される実施形態によると、制御領域は、よって、いわゆるサーチスペースによって監視されてよく、ここで、サーチスペースは制御メッセージの可能な位置を規定する。サーチスペースの性質は、使用される制御リソースのサイズに依存する場合があり、例えば、ＬＴＥにおいて、該サイズはアグリゲーションレベルによって与えられる。マッピングされた制御メッセージの多くの可能なアグリゲーションレベル／サイズがある場合、多くのサーチスペースがある。これは、デバイス固有制御領域および共通制御領域の両方に当てはまる。本明細書に開示される実施形態は、制御領域の厳密な構造、またはこれらがどのように監視されるべきかに左右されない、または限定されない。
【００９０】
１つの単一サブバンドから成るサーチスペースの説明的な例は、本明細書全体を通して使用されているが、当業者には理解されるように、サーチスペースは、場合によっては、種々のサイズの異なる数のサブバンドを有することができる。すなわち、本明細書に開示される実施形態および例は、制御メッセージを含む１つのＯＦＤＭシンボルのみを示すが、少なくとも１つのＯＦＤＭシンボルがデバイス固有サーチスペースおよび非デバイス固有サーチスペース両方を含む限り、制御メッセージを含む１つまたは２つ以上のＯＦＤＭシンボルがあってよいことは、当業者には明らかである。
【００９１】
図９は、いくつかの機能ユニットに関して、一実施形態による無線デバイス２００の構成要素を概略的に示す。処理回路構成２１０は、例えば、記憶媒体２３０の形態の、（図１３にあるような）コンピュータプログラム製品１３１０ａに記憶されるソフトウェア命令を実行することが可能な、適した中央処理装置（ＣＰＵ）、マルチプロセッサ、マイクロコントローラ、デジタル信号プロセッサ（ＤＳＰ）などの１つまたは複数の任意の組み合わせを使用して提供される。処理回路構成２１０は、少なくとも１つの特定用途向け集積回路（ＡＳＩＣ）またはフィールドプログラマブルゲートアレイ（ＦＰＧＡ）としてさらに提供されてよい。
【００９２】
とりわけ、処理回路構成２１０は、上に開示されるように、無線デバイス２００に、動作のセット、またはステップＳ１０２〜Ｓ１０８を行わせるように設定される。例えば、記憶媒体２３０は動作のセットを記憶してよく、処理回路構成２１０は、記憶媒体２３０から動作のセットを検索して、無線デバイス２００に動作のセットを行わせるように設定されてよい。動作のセットは実行可能命令のセットとして提供されてよい。
【００９３】
よって、処理回路構成２１０は、そのために、本明細書に開示されるような方法を実行するように配置される。記憶媒体２３０は、例えば、磁気メモリ、光メモリ、ソリッドステートメモリ、またはさらには遠隔にマウントされるメモリのうちの任意の単体または組み合わせとすることができる永続記憶装置も含むことができる。無線デバイス２００は、少なくとも、無線アクセスネットワークノードとの通信のために設定される通信インターフェース２２０をさらに含んでよい。そのように、通信インターフェース２２０は、アナログ構成要素およびデジタル構成要素を含む１つまたは複数の送信機および受信機を含んでよい。処理回路構成２１０は、例えば、データおよび制御信号を通信インターフェース２２０および記憶媒体２３０に送ることによって、通信インターフェース２２０からデータおよび報告を受信することによって、および、記憶媒体２３０からデータおよび命令を検索することによって、無線デバイス２００の全般的な動作を制御する。無線デバイス２００の他の構成要素、および関連の機能性は、本明細書に提示される概念を不明瞭にしないために省略される。
【００９４】
図１０は、いくつかの機能モジュールに関して、一実施形態による無線デバイス２００の構成要素を概略的に示す。図１０の無線デバイス２００は、いくつかの機能モジュール、ステップＳ１０４を行うように設定される受信モジュール２１０ｂ、ステップＳ１０６を行うように設定される監視モジュール２１０ｃ、およびステップＳ１０８を行うように設定される監視モジュール２１０ｆを含む。図１０の無線デバイス２００は、ステップＳ１０２を行うように設定される取得モジュール２１０ａ、ステップＳ１０６ａを行うように設定される検出モジュール２１０ｄ、ステップＳ１０６ｂを行うように設定される特定モジュール２１０ｅ、ステップＳ１０８ａを行うように設定される検出モジュール２１０ｇ、およびステップＳ１０８ｂを行うように設定される特定モジュール２１０ｈのいずれかといった、いくつかのオプションの機能モジュールをさらに含んでよい。
【００９５】
一般論として、それぞれの機能モジュール２１０ａ〜２１０ｈは、１つの実施形態ではハードウェアのみにおいて、および、別の実施形態ではソフトウェアを用いて実装可能である。すなわち、このソフトウェアを用いた実施形態では、処理回路構成上で起動する時、無線デバイス２００に、図１０と併せて上述される対応するステップを行わせるコンピュータプログラム命令が記憶媒体２３０に記憶されている。モジュールがコンピュータプログラムの一部に相当しても、この実施形態において別個のモジュールとする必要はないが、ソフトウェアに実装されるやり方は、使用されるプログラミング言語に左右されることも述べられるべきである。好ましくは、１つもしくは複数のまたは全ての機能モジュール２１０ａ〜２１０ｈは、処理回路構成２１０によって、場合によっては通信インターフェース２２０および／または記憶媒体２３０と協働するように実装可能である。よって、処理回路構成２１０は、機能モジュール２１０ａ〜２１０ｈによって提供されるような命令を記憶媒体２３０からフェッチするように、かつ、これらの命令を実行するように設定されることで、本明細書に開示されるようないずれのステップも行うことができる。
【００９６】
図１１は、いくつかの機能ユニットに関して、一実施形態による無線アクセスネットワークノード３００の構成要素を概略的に示す。処理回路構成３１０は、例えば、記憶媒体３３０の形態の、（図１３にあるような）コンピュータプログラム製品１３１０ｂに記憶されるソフトウェア命令を実行可能である、適した中央処理装置（ＣＰＵ）、マルチプロセッサ、マイクロコントローラ、デジタル信号プロセッサ（ＤＳＰ）などのうちの１つまたは複数の任意の組み合わせを使用して提供される。処理回路構成３１０は、少なくとも１つの特定用途向け集積回路（ＡＳＩＣ）またはフィールドプログラマブルゲートアレイ（ＦＰＧＡ）としてさらに提供されてよい。
【００９７】
とりわけ、処理回路構成３１０は、上に開示されるように、無線アクセスネットワークノード３００に、動作のセット、またはステップＳ２０２〜Ｓ２０４を行わせるように設定される。例えば、記憶媒体３３０は動作のセットを記憶することができ、処理回路構成３１０は、記憶媒体３３０から動作のセットを検索して、無線アクセスネットワークノード３００に動作のセットを行わせるように設定可能である。動作のセットは、実行可能命令のセットとして提供されてよい。よって、処理回路構成３１０は、そのために、本明細書に開示されるような方法を実行するように配置される。
【００９８】
記憶媒体３３０はまた、例えば、磁気メモリ、光メモリ、ソリッドステートメモリ、またはさらには遠隔にマウントされるメモリのうちの任意の単体または組み合わせとすることができる永続記憶装置を含むこともできる。
【００９９】
無線アクセスネットワークノード３００は、通信ネットワーク１００および無線デバイス２００の他のエンティティおよびデバイスとの通信のための通信インターフェース３２０をさらに含むことができる。そのように、通信インターフェース３２０は、アナログ構成要素およびデジタル構成要素を含む１つまたは複数の送信機および受信機を含むことができる。
【０１００】
処理回路構成３１０は、例えば、データおよび制御信号を通信インターフェース３２０および記憶媒体３３０に送ることによって、通信インターフェース３２０からデータおよび報告を受信することによって、および、記憶媒体３３０からデータおよび命令を検索することによって、無線アクセスネットワークノード３００の全般的な動作を制御する。無線アクセスネットワークノード３００の他の構成要素および関連の機能性は、本明細書に提示される概念を不明瞭にしないために省略される。
【０１０１】
図１２は、いくつかの機能モジュールに関して、一実施形態による無線アクセスネットワークノード３００の構成要素を概略的に示す。図１２の無線アクセスネットワークノード３００は、ステップＳ２０４を行うように設定される送信モジュール３１０ｂを含む。図１２の無線アクセスネットワークノード３００は、ステップＳ２０２を行うように設定される提供モジュール３１０ａといった、いくつかのオプションの機能モジュールをさらに含むことができる。一般論として、それぞれの機能モジュール３１０ａ〜３１０ｂは、ハードウェアまたはソフトウェアで実装されてよい。好ましくは、１つもしくは複数のまたは全ての機能モジュール３１０ａ〜３１０ｂは、処理回路構成３１０によって、場合によっては、通信インターフェース３２０および／または記憶媒体３３０と協働するように実装されてよい。よって、処理回路構成３１０は、機能モジュール３１０ａ〜３１０ｂによって提供されるような命令を記憶媒体３３０からフェッチするために、かつ、これらの命令を実行するために配置されることで、本明細書に開示されるように無線アクセスネットワークノード３００のいずれのステップも行うことができる。
【０１０２】
図１３は、コンピュータ可読手段１３３０を含むコンピュータプログラム製品１３１０ａ、１３１０ｂの１つの例を示す。このコンピュータ可読手段１３３０に対して、コンピュータプログラム１３２０ａを記憶でき、このコンピュータプログラム１３２０ａは、処理回路構成２１０、およびこれに動作可能に連結される、通信インターフェース２２０および記憶媒体２３０などのエンティティおよびデバイスに、本明細書に記載される実施形態による方法を実行させることができる。よって、コンピュータプログラム１３２０ａおよび／またはコンピュータプログラム製品１３１０ａは、本明細書に開示されるような無線デバイス２００のいずれのステップも行うための手段を提供可能である。このコンピュータ可読手段１３３０に対して、コンピュータプログラム１３２０ｂを記憶でき、このコンピュータプログラム１３２０ｂは、処理回路構成３１０、およびこれに動作可能に連結される、通信インターフェース３２０および記憶媒体３３０などのエンティティおよびデバイスに、本明細書に記載される実施形態による方法を実行させることができる。よって、コンピュータプログラム１３２０ｂおよび／またはコンピュータプログラム製品１３１０ｂは、本明細書に開示されるような無線アクセスネットワークノード３００のいずれのステップも行うための手段を提供することができる。
【０１０３】
図１３の例では、コンピュータプログラム製品１３１０ａ、１３１０ｂは、ＣＤ（コンパクトディスク）、ＤＶＤ（デジタル多用途ディスク）、またはブルーレイディスクなどの光ディスクとして示される。コンピュータプログラム製品１３１０ａ、１３１０ｂはまた、ランダムアクセスメモリ（ＲＡＭ）、読み出し専用メモリ（ＲＯＭ）、消去可能プログラマブル読み出し専用メモリ（ＥＰＲＯＭ）、または、電気的消去可能プログラマブル読み出し専用メモリ（ＥＥＰＲＯＭ）などのメモリとして、より詳細には、ＵＳＢ（ユニバーサルシリアルバス）メモリ、またはコンパクトフラッシュメモリなどのフラッシュメモリなどの外付けメモリにおけるデバイスの不揮発性記憶媒体として具現化可能である。よって、コンピュータプログラム１３２０ａ、１３２０ｂが、ここで、図示される光ディスク上のトラックとして概略的に示されるが、コンピュータプログラム１３２０ａ、１３２０ｂは、コンピュータプログラム製品１３１０ａ、１３１０ｂにとって適した任意のやり方で記憶できる。
【０１０４】
発明概念は、数個の実施形態を参照して主に上述されている。しかしながら、当業者には容易に理解されるように、上に開示されるもの以外の実施形態は、添付の特許請求の範囲によって規定されるように、発明概念の範囲内で等しく可能である。
【図１】
0006665351.tif 000002
【図２】
0006665351.tif 000003
【図３】
0006665351.tif 000004
【図４】
0006665351.tif 000005
【図５】
0006665351.tif 000006
【図６】
0006665351.tif 000007
【図７】
0006665351.tif 000008
【図８】
0006665351.tif 000009
【図９】
0006665351.tif 000010
【図１０】
0006665351.tif 000011
【図１１】
0006665351.tif 000012
【図１２】
0006665351.tif 000013
【図１３】
0006665351.tif 000014